(57)【要約】【課題】動物を連続的に捕獲できる動物捕獲器を提供する。【解決手段】１階部分に入口が形成されて２階部分に連通口が形成された捕獲容器と、捕獲容器内に軸支されて入口を開閉するための揺動板と、上記揺動板が入口を閉じた状態で揺動板をロックするロック手段とを備え、  上記揺動板は、自重によって奥に向かって下り傾斜になった初期状態において入口を閉じ、動物が入口から侵入するときに上方に揺動することにより入口を開き、動物が捕獲容器内に入ると再び自重によって初期状態に戻って入口を閉じるように構成され、  上記ロック手段は、入口から捕獲容器の内部に侵入した動物が揺動板に載った重みによって入口を閉じた揺動板のロック状態を開始するためのロック開始手段と、動物が揺動板の上を通って連通口に向かって移動するときにロック状態を解除するためのロック解除手段とを含んで構成されている。【選択図】図２
2014128204.tif 000002
【特許請求の範囲】
【請求項１】
１階部分に入口が形成されるとともに、上記入口の上部の２階部分に連通口が形成された捕獲容器と、
捕獲容器内に軸支されて上記入口を開閉するための揺動板と、
上記揺動板が上記入口を閉じた状態で上記揺動板をロックするロック手段とを備え、
上記揺動板は、自重によって奥に向かって下り傾斜になった初期状態において上記入口を閉じ、動物が上記入口から侵入するときに上方に揺動することにより上記入口を開き、上記動物が捕獲容器内に入ると再び自重によって上記初期状態に戻って上記入口を閉じるように構成され、
上記ロック手段は、上記入口から捕獲容器の内部に侵入した動物が上記揺動板に載った重みによって上記入口を閉じた状態で上記揺動板のロック状態を開始するためのロック開始手段と、上記動物が上記揺動板の上を通って上記連通口に向かって移動するときにロック状態を解除して上記初期状態に戻すためのロック解除手段とを含んで構成されていることを特徴とする動物捕獲器。
【発明の詳細な説明】
【技術分野】
【０００１】
本発明は、ネズミ等の動物を捕獲するために使用される動物捕獲器に関する。
【背景技術】
【０００２】
従来より、ネズミ等の動物を捕獲するために、例えば下記の特許文献１に示すように、シーソー板を利用した動物捕獲箱が提供されている。この動物捕獲箱は、鼠がシーソーの中央より奥に入って行くと、その重さによってシーソーの奥側が少し下がる。すると、回転軸が下側に離れているのでバランスがくずれ、奥側がいっきに底まで下がり、シーソー下部の磁石と箱底の磁石の吸引力で固定される。この状態で、シーソー入口がふさがれることにより鼠が逃げられなくなるようにしている。
【特許文献１】実用新案登録第３１１３７８６号公報
【発明の開示】
【発明が解決しようとする課題】
【０００３】
上記動物捕獲箱は、シーソーの奥側がいっきに下がったときに磁石の吸引力で固定するようになっている。このため、捕獲された動物が驚いて暴れだすと磁石が外れてしまい、せっかく捕獲した動物に逃げられてしまうという問題がある。一方、鼠等の動物は尻尾が長く、体長の約１／２は尻尾の長さが占めている。したがって、シーソーの奥側がいっきに下がったときに、磁石の吸引力でシーソーが固定される前に鼠等の尻尾がシーソーと入口の間に挟まってしまい、磁石同士の間にその分隙間が出来て十分に固定することができない。一方、鼠等は、尻尾が挟まることにより異変を感じて逃げようとするので、この状態で鼠等が逆戻りすると、簡単にシーソーが元にもどってしまってせっかく箱に入った鼠等に簡単に逃げられてしまうという問題がある。
【０００４】
本発明は、上記課題を解決するためになされたものであり、動物を逃がすことなく確実に捕獲することができ、しかも複数匹の動物を連続して捕獲することができる動物捕獲器を提供することをその目的とする。
【課題を解決するための手段】
【０００５】
上記の目的を達成するため、本発明の動物捕獲器は、１階部分に入口が形成されるとともに、上記入口の上部の２階部分に連通口が形成された捕獲容器と、
捕獲容器内に軸支されて上記入口を開閉するための揺動板と、
上記揺動板が上記入口を閉じた状態で上記揺動板をロックするロック手段とを備え、
上記揺動板は、自重によって奥に向かって下り傾斜になった初期状態において上記入口を閉じ、動物が上記入口から侵入するときに上方に揺動することにより上記入口を開き、上記動物が捕獲容器内に入ると再び自重によって上記初期状態に戻って上記入口を閉じるように構成され、
上記ロック手段は、上記入口から捕獲容器の内部に侵入した動物が上記揺動板に載った重みによって上記入口を閉じた状態で上記揺動板のロック状態を開始するためのロック開始手段と、上記動物が上記揺動板の上を通って上記連通口に向かって移動するときにロック状態を解除して上記初期状態に戻すためのロック解除手段とを含んで構成されていることを要旨とする。
【発明の効果】
【０００６】
本発明の動物捕獲器では、自重によって揺動板が奥に向かって下り傾斜になった初期状態で入口が閉じられている。動物が入口から侵入するときに揺動板が上方に揺動することにより入口が開く。上記動物が入口から捕獲容器内に入ると、揺動板は再び自重によって初期状態に戻って入口を閉じる。そして、上記入口から捕獲容器の内部に侵入した動物が揺動板に載った重みによって、ロック開始手段は入口を閉じた状態で揺動板のロック状態を開始する。この状態で入口が揺動板で閉じられた状態で揺動板がロックされ、動物は逃げられない。捕獲された動物は、元来た方向に戻ろうとする習性があるが、入口は揺動板が閉じた状態でロックされている。このため、動物は、揺動板の上を通って連通口に向かって進むことになる。連通口を通った動物は、第２の捕獲容器に捕らえることができる。上記動物が揺動板の上を通って連通口に向かって移動するときに、ロック解除手段がロック状態を解除し、初期状態に戻る。この初期状態では、つぎの動物を捕獲できる状態になっていて、連続的に複数匹の動物を捕獲することができるのである。
【図面の簡単な説明】
【０００７】
【図１】本発明の第１実施形態における動物捕獲器を示す図である。（Ａ）は捕獲容器の外観を示す斜視図、（Ｂ）は全体の構成を示す図である。
【図２】捕獲容器の断面図である。
【図３】揺動板とロック手段を示す図である。（Ａ）は揺動板とロック解除手段、（Ｂ）はロック開始手段である。
【図４】捕獲容器の動作を説明する図である。
【図５】捕獲容器の動作を説明する図である。
【図６】捕獲容器の動作を説明する図である。
【発明を実施するための形態】
【０００８】
以下、本発明の動物捕獲器の実施の形態について、図面を参照して詳細に説明する。
【０００９】
図１（Ａ）は、本実施形態の動物捕獲器における捕獲容器１の外観を示す斜視図である。
【００１０】
この捕獲容器１は、前後方向に延びる直方体状に形成され、前側の壁面の１階部分に入口２が形成されている。また、前側の壁面の上記入口２の上部の２階部分に連通口３が形成されている。入口２と連通口３の間は仕切板４で仕切られている。
【００１１】
図１（Ｂ）は、本実施形態の動物捕獲器の全体構成を示す図である。
【００１２】
この動物捕獲器は、捕獲容器１の連通口３に通路５が接続され、通路５の先には第２の捕獲容器６が取り付けられている。これにより、入口２から捕獲容器１に侵入した動物は、連通口３から通路５を通って第２の捕獲容器６に捕獲されるようになっている。
【００１３】
この全体構造において、捕獲容器１では、初期状態で入口２から侵入した動物が入口２から逃げられないように入口２を閉じてロックするように構成される。また、入口２から逃げられない動物が連通口３を通過するときに、ロックを解除して初期状態に戻し、次の動物の侵入が可能となるように構成される。
【００１４】
このように、入口２から動物が侵入するたびに入口２を閉じてロックすることにより、入口２から捕獲容器１に侵入した動物を逃がさずに第２の捕獲容器６に捕らえることができる。また、動物が連通口３を通過するたびにロックを解除して初期状態に戻すことにより、つぎつぎに動物を入口２から侵入させ、複数の動物を連続的に捕獲することができる。
【００１５】
具体的な構造を以下に説明する。
【００１６】
図２は、捕獲容器１の断面図である。図３（Ａ）は、後述する揺動板９とロック解除手段１２を示す図であり、図３（Ｂ）は後述するロック開始手段１９を示す図である。
【００１７】
上述したように、捕獲容器１の前面（図示の左側である）の壁面には、１階部分に入口２が形成されるとともに、上記入口２の上部の２階部分に連通口３が形成されている。
【００１８】
上記捕獲容器１の奥側には、入口２から侵入した動物を捕獲するための捕獲空間７が設けられている。捕獲空間７には、捕獲容器１の捕獲空間７へ動物を誘引する誘引剤（餌）８が取り付けられている。捕獲空間７は、入口２を通って頭を奥側に向けた動物が、方向転換できる程度の広さに設定されている。１階部分の入口２と２階部分の連通口３の間を仕切る仕切板４は、捕獲空間７まで至っていない。すなわち、捕獲空間７は入口２連通口３の双方に連通している。
【００１９】
この動物捕獲器は、捕獲容器１内に軸支されて上記入口２を開閉するための揺動板９を備えている。
【００２０】
上記揺動板９は、自重によって奥に向かって下り傾斜になった初期状態において上記入口２を閉じ、動物が上記入口２から侵入するときに上方に揺動することにより上記入口２を開き、上記動物が捕獲容器１内に入ると再び自重によって上記初期状態に戻って上記入口２を閉じるように構成されている。
【００２１】
この例では、上記揺動板９は、仕切板４の下側に形成された入口通路１０の奥側上部に軸９Ａによって軸支されている。上記軸９Ａは、仕切板４の後端部より少し奥側において捕獲容器１の左右壁に懸架されている。そして、初期状態では、自重によって奥に向かって下り傾斜になるようバランスされている。
【００２２】
上記軸９Ａは、揺動板９の左右の下側に垂下する屈曲舌片１１を貫通している。屈曲舌片１１は根元側に軸９Ａが貫通し、先端側が入口２側に屈曲している。
【００２３】
上記入口通路１０の床に相当する部分には、入口２から侵入した動物が載って通過する踏み板１４が設けられている。上記踏み板１４は、入口２の開口部から、初期状態に傾斜した揺動板９の先端近傍まで延びている。上記踏み板１４は、入口２の近傍で軸１４Ａによって軸支されている。上記踏み板１４は、軸１４Ａより入口２側が短く、奥側が長くなるように設定されている。踏み板１４の下面の軸１４Ａより入口２側に錘１５が取り付けられ、軸１４Ａより奥側の部分とバランスをとるようになっている。
【００２４】
そして、揺動板９の左右の下側に垂下する屈曲舌片１１と、踏み板１４の軸１４Ａより奥側の左右上側に突出した舌片１６とが、連結部材１７で連結されている。
【００２５】
一方、上記揺動板９には、初期状態の傾斜状態において軸９Ａよりも上側になる領域に、捕獲空間７に捕らえた動物を通過させるための通過開口１３が形成されている。
【００２６】
ここで、この動物捕獲器は、上記揺動板９が上記入口２を閉じた状態で上記揺動板９をロックするロック手段１８を備えている。
【００２７】
上記ロック手段１８は、上記入口２から捕獲容器１の内部に侵入した動物が上記揺動板９に載った重みによって上記入口２を閉じた状態で上記揺動板９のロック状態を開始するためのロック開始手段１９と、上記動物が上記揺動板９の上を通って上記連通口３に向かって移動するときにロック状態を解除して上記初期状態に戻すためのロック解除手段１２とを含んで構成されている。
【００２８】
上記ロック開始手段１９は、板材をＬ字状に屈曲した一対のＬ字片２０が軸２０Ｃに軸支されて構成されている。上記Ｌ字片２０は長片２０Ａが横方向に延び、短片２０Ｂが床面を向くように配置されている。
【００２９】
揺動板９が自重で奥側が下り傾斜した初期状態において、揺動板９の奥側の先端が上記ロック開始手段１９の長片２０Ａに接触する。この状態において、上記ロック開始手段１９は、短片２０Ｂの先端が床面に接触するようにバランスしている。上記入口２から捕獲空間７に侵入した動物が、上記揺動板９に載りあげると、その重みによってロック開始手段１９の長片２０Ａが回動するように構成されている。
【００３０】
上記ロック解除手段１２は、揺動板９の通過開口１３よりも少し幅の狭い板材が屈曲されて形成されている。上記ロック解除手段１２は、一端の左右両側に軸支部２２が形成され、上記軸支部２２と反対側が上側に鋭角状に屈曲されている。屈曲された先端部の中央には、揺動板９の入口側端部９Ｂに係合する係合片２３が切り起されて形成されている。
【００３１】
上記ロック解除手段１２は、仕切板４より上の連通口３に臨む連通路２１より奥側の捕獲空間７の天井部近傍に、軸支部２２が軸支される。そして屈曲側が揺動板９の通過開口１３に挿入され、その屈曲側が連通路２１で揺動しうるように取り付けられる。ロック解除手段１２の屈曲側が上方に揺動したときにその屈曲側が干渉しないよう、捕獲容器１の天井部には逃げ空間２４が設けられている。
【００３２】
上述した構成で、本実施形態の動物捕獲器はつぎのように動作する。
【００３３】
図２に示す初期状態において、捕獲空間７の誘引剤８に誘引された動物が入口２から侵入する。
【００３４】
図４は、入口２から侵入した動物が踏み板１４に載った重みで揺動板９を揺動させた状態を示す。このように、入口２から動物が侵入して踏み板１４に載ると、その重みで踏み板１４の軸１４Ａより奥側の部分が下がる。そうすると、連結部材１７によって屈曲舌片１１の先端側が引き下げられ、揺動板９が軸９Ａを軸に回動して入口２が開く。動物が捕獲空間７に入ると、踏み板１４にかかっていた荷重は取り除かれ、揺動板９は一旦初期状態に戻って入口２を閉鎖し、一旦初期状態に戻る。
【００３５】
図５は、捕獲空間７に侵入した動物が、来た道を戻ろうとして揺動板９に載って揺動板９を揺動させ、ロック開始手段１９を動作させた状態を示す。すなわち、捕獲空間７に侵入した動物は、来た道を戻ろうとする習性がある。そのときには、入口２は初期状態に戻った揺動板９で塞がれていて、動物は捕獲空間７からみて登り傾斜になっている揺動板９の上を進むことになる。このとき、動物が揺動板９に乗った重みで、ロック開始手段１９の長片２０Ａが回動する。すると、揺動板９は初期状態よりさらに奥側が下に向かって回動し、入口側端部９Ｂが跳ね上がる。
【００３６】
初期状態において、揺動板９の入口側端部９Ｂは、ロック解除手段１２の係合片２３の下側に位置している（図２参照）。動物が揺動板９に乗った重みで、ロック開始手段１９と揺動板９が回動し、入口側端部９Ｂが跳ね上がると、入口側端部９Ｂはロック解除手段１２の係合片２３の上側に位置を変える。この入口側端部９Ｂの位置変更のときに、ロック解除手段１２は軸支部２２の軸２２Ａを軸として回動する。
【００３７】
この状態で、揺動板９は、入口側端部９Ｂが係合片２３に引っかかって回動しない。すなわち、揺動板９が入口２を閉鎖してロックされた状態となる。揺動板９が入口２を閉鎖してロックされているため、捕獲空間７に侵入した動物は、入口２から逃げることはできない。
【００３８】
図６は、捕獲空間７に侵入した動物が連通路２１を通るときに、揺動板９のロックを解除する状態を示す。すなわち、揺動板９が入口２を塞いでロックされているので、捕獲空間７に侵入した動物は、揺動板９の上を登って通過開口１３を潜り、連通路２１を通って連通口３から出ようとする。動物が通過開口１３を潜るときに、ロック解除手段１２を押し上げる。すると、ロック解除手段１２は軸２２Ａを軸に上方に回動される。そして動物は連通路２１を通って連通口３から出る。
【００３９】
そうすると、揺動板９の入口側端部９Ｂと係合片２３との係合が解除される、また、揺動板９に対する荷重はなくなって揺動板９の傾斜状態は初期状態に戻る。これにより、揺動板９が入口２を閉鎖してロックされた状態は解除されて初期状態に戻り、つぎの動物の進入を待つ状態になる。
【００４０】
連通口３から出た動物は、通路５を通って第２の捕獲容器６に捕獲される。
【００４１】
本実施形態の動物捕獲器によれば、自重によって揺動板が奥に向かって下り傾斜になった初期状態で入口が閉じられている。動物が入口から侵入するときに揺動板が上方に揺動することにより入口が開く。上記動物が入口から捕獲容器内に入ると、揺動板は再び自重によって初期状態に戻って入口を閉じる。そして、上記入口から捕獲容器の内部に侵入した動物が揺動板に載った重みによって、ロック開始手段は入口を閉じた状態で揺動板のロック状態を開始する。この状態で入口が揺動板で閉じられた状態で揺動板がロックされ、動物は逃げられない。捕獲された動物は、元来た方向に戻ろうとする習性があるが、入口は揺動板が閉じた状態でロックされている。このため、動物は、揺動板の上を通って連通口に向かって進むことになる。連通口を通った動物は、第２の捕獲容器に捕らえることができる。上記動物が揺動板の上を通って連通口に向かって移動するときに、ロック解除手段がロック状態を解除し、初期状態に戻る。この初期状態では、つぎの動物を捕獲できる状態になっていて、連続的に複数匹の動物を捕獲することができるのである。
【００４２】
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００４３】
１：捕獲容器
２：入口
３：連通口
４：仕切板
５：通路
６：第２の捕獲容器
７：捕獲空間
８：誘引剤
９：揺動板
９Ａ：軸
９Ｂ：入口側端部
１０：入口通路
１１：屈曲舌片
１２：ロック解除手段
１３：通過開口
１４：踏み板
１４Ａ：軸
１５：錘
１６：舌片
１７：連結部材
１８：ロック手段
１９：ロック開始手段
２０：Ｌ字片
２０Ａ：長片
２０Ｂ：短片
２０Ｃ：軸
２１：連通路
２２：軸支部
２２Ａ：軸
２３：係合片
２４：逃げ空間
【図１】
2014128204.tif 000003
【図２】
2014128204.tif 000004
【図３】
2014128204.tif 000005
【図４】
2014128204.tif 000006
【図５】
2014128204.tif 000007
【図６】
2014128204.tif 000008